(57)【要約】【課題】石膏ボード等の取り付け強度の得られない壁体を補強して重量物を取り付けられるようにする。【解決手段】  可撓性のある短冊形状の下地材１０を曲げることにより、これよりも小さく形成した壁体７の孔８から挿入し、表側から打ち込んだフィニッシャーネイル１２を当て部材１１で引っ張って保持しながら仮止めねじ１４をねじ込み、下地材を壁体の裏側に仮固定する。紐５と当て部材１１とフィニッシャーネイル１２を除去し、孔を埋める。壁体の表側から取り付け金具を壁体及び下地材にねじ込んで固定し、この取り付け金具に壁掛けテレビを取り付ける。【選択図】図５
2010185254.tif 000002
【特許請求の範囲】
【請求項１】
壁体の表面に被取り付け体を安定的に固定するために、前記壁体の裏面に設けられる下地材であって、
その全長よりも小さく前記壁体に形成された孔から前記壁体の裏面側に挿入しうる可撓性を備えるとともに、前記被取り付け体を前記壁体の表面に固定するために前記壁体を貫通させた固定手段によって前記壁体の裏面に固定されることを特徴とする下地材。
【請求項２】
壁体の表面に被取り付け体を安定的に固定するために、前記壁体の裏面に設けられる下地材であって、
その全長よりも小さく前記壁体に形成された孔から前記壁体の裏面側に挿入しうる可撓性を備えるとともに、前記壁体を貫通する仮固定手段によって前記壁体の裏面に仮固定され、前記壁体の表面に設けた前記被取り付け体を挿通して前記壁体を貫通する固定手段によって前記壁体の裏面に固定され、前記被取り付け体とともに前記壁体を挟持して前記被取り付け体の荷重を支えることを特徴とする下地材。
【請求項３】
長矩形状の平板である第１板と、前記第１板と実質的に同一形状であり、前記第１板の一面に貼付され、前記第１板と反対側の面に前記長矩形状の長手方向と交差する方向に沿った複数の溝が所定間隔で形成された第２板とを有し、前記第１板の他面が凸となるような可撓性を有する本体と、
前記本体に取り付けられ、前記壁体の前記孔から前記壁体の裏面側に挿入された前記本体を前記壁体の裏面の所定位置に保持するための長体と、
を有することを特徴とする請求項１又は２に記載の下地材。
【請求項４】
壁体の表面に被取り付け体を取り付けるための固定装置であって、
前記壁体の表面に所定の面積をもって接するように設けられて前記被取り付け体の荷重が加わる取り付け部と、
その全長よりも小さく前記壁体に形成された孔から前記壁体の裏面側に挿入しうる可撓性を備えるとともに、前記取り付け部の位置に対応して前記壁体の裏面に設けられる下地材と、
前記壁体を貫通して設けられ、前記取り付け部と前記下地材を前記壁体を挟持した状態で固定する固定手段とを有し、
前記壁体を補強して前記前記被取り付け体の荷重を支えることを特徴とする固定装置。
【請求項５】
壁体の表面に被取り付け体を取り付けるための取り付け部を、前記壁体の表面に安定的に固定するための壁体の補強方法において、
可撓性を備える本体と、前記本体を前記壁体の裏面側の所定位置に保持するための長体とを備えた下地材を用意し、
前記下地材よりも小さい孔を前記壁体に形成し、
前記長体を持ちながら前記下地材の前記本体を曲げて前記孔から前記壁体の裏面側に前記本体を挿入し、前記孔から前記壁体の外に出された前記長体を保持することにより前記本体を前記壁体の裏面の所定位置に保持し、
当て部材を介して貫通材を前記壁体及び前記下地材に打ち込み、
前記当て部材を掴んで引きながら、前記壁体に表面から仮固定部材をねじ込んで前記下地材を前記壁体の裏面に仮固定し、
前記長体と、前記当て部材と、前記貫通材を除去し、
前記孔を修復することにより、
前記下地材に対応する前記壁体の表面に被取り付け体を安定して取り付けられるようにすることを特徴とする壁体の補強方法。
【発明の詳細な説明】
【技術分野】
【０００１】
本発明は、壁体に種々の物品を安全に取り付けるため、該壁体を補強するべく壁体の裏面側に設けられる下地材に関する。また、本発明は、係る下地材を用いて物品を壁体に安全に取り付けるための固定装置と、係る下地材を利用した壁体の補強方法に関するものである。本発明は、壁体に設置する物品であれば、どのような種類の物品であっても安全確実に取り付けることができるが、例えば、壁掛け型の薄型テレビ、エアコン、吊戸棚等のようにそれ自体に相当の重量がある物品や、壁体に取り付ける手摺りや地震対策で壁体に固定する家具等のように、使用時や地震発生時に特に大きな荷重が加わるような物品等については、特に本発明は有効である。
【背景技術】
【０００２】
例えば、壁掛け型の薄型テレビを室内の壁に取り付ける場合、壁に取り付け金具を固定し、この取り付け金具に薄型テレビを係止して取り付ける手法が一般的である。ここで、一般的な家屋における室内の壁は石膏ボード等で構成されている場合が多いが、石膏ボードの強度は重量物を取り付けるには必ずしも十分ではないため、前記取り付け金具を石膏ボードからなる壁のみを対象としてボルト等で固定しても十分な取り付け強度が得られない場合があった。従って、相当の重量がある薄型テレビのような物品を、このような強度不足の固定状態にある取り付け金具に取り付けても、安全な取り付けができるものではなく、薄型テレビの重量に負けて取り付け金具が壁から外れてしまい、薄型テレビごと落下してしまう恐れがある。
【０００３】
そこで、このように石膏ボードのような強度が十分とはいえない壁体に対して重量物を取り付けようとする場合には、壁の裏面側にある下地材を利用して取り付け金具を固定することができる。すなわち、室内の壁に石膏ボードが用いられている一般的な家屋の構造においては、石膏ボードからなる室内壁と、隣室の壁又は外壁との間の空間に、間柱と呼ばれる構造部材が所定間隔で設けられており、室内壁はこの間柱に取り付けられている場合が多い。従って、取り付け金具を挿通した取り付けボルトを、壁体を貫通して間柱にねじ込めば、取り付け金具を十分な強度で壁体に固定することが可能となる。
【０００４】
しかしながら、薄型テレビにしても、エアコンその他の家電にしても、下地材となる間柱が裏側に存在する位置でしか壁に取り付けられないというのでは好ましくない。これらの家電製品はもちろん、その他のいかなる物品であっても、使用する一定の目的があって壁に設置するのであるから、下地材の有無とは関係なく、所望の位置で壁に安全に固定したいというのがユーザーの一般的な要望である。
【０００５】
そこで、壁体の裏側にある間柱を、物品を固定する対象である下地材として利用できない場合には、物品を取り付けようとする位置の壁体を切り取って除去し、そこに現れた間柱と間柱の間に構造用合板を取り付けて固定し、この構造用合板を下地材として物品又は物品の取り付け金具を固定する工事が行なわれることがあった。
【０００６】
また、特許文献１には、下地材としての強度が弱く、固着具を嵌入しても十分な固定状態が得られない石膏ボードの欠点を解消するために、石膏ボードの裏面に有機質繊維により形成された繊維板からなる補強層を積層して一体化する発明が開示されている。
【先行技術文献】
【特許文献】
【０００７】
【特許文献１】特開２００５−２８１９７９号
【発明の概要】
【発明が解決しようとする課題】
【０００８】
前述したように、強度が十分とはいえない石膏ボード等の壁体に対して、任意の位置で物品を安全な状態で取り付けることは難しいため、特に重量物を壁体の所望の位置に取り付ける場合には、壁体を大きく切り取って構造用合板に置き換える工事を行い、これを取り付け対象として物品を固定する場合があったが、このような工法は大掛かりで工費も嵩み、また、そもそも間柱がない又は少ない構造の場合には利用することができないという問題があった。
【０００９】
また、前記特許文献１に開示されたように、下地材としての高い強度を有し、固着具を嵌入しても十分な固定状態が得られるような補強層を有する石膏ボードが提案されてはいるが、このような補強タイプの石膏ボードは価格が高いだけでなく、新築時等、壁を新たに構築する場合にのみ利用するのが一般的であり、既設の石膏ボードの壁体に対して物品を取り付ける場合にこの補強タイプの石膏ボードを利用するとすれば、壁体自体をこの補強タイプの石膏ボードに置き換える工事を行なう必要があることから、材料費が嵩むことはもちろん、構造用合板に置き換える工事の場合と同様、高額な工費も必要となり、現実には実現が難しかった。
【００１０】
本発明は、このような従来の問題点を解決するためになされたものであり、一般的な石膏ボードのように十分な取り付け強度の得られない壁体に対して物品を取り付ける場合や、さらに間柱等の下地材が存在せず又は少ないために従来のような補強工事を行うことが難しい場合であっても、壁体の所望の位置に十分な強度で安全確実に物品を取り付けることができるようにするための下地材と、係る下地材を利用した物品の固定装置及び壁体の補強方法を提供することを目的としている。
【課題を解決するための手段】
【００１１】
請求項１に記載された下地材は、
壁体の表面に被取り付け体を安定的に固定するために、前記壁体の裏面に設けられる下地材であって、
その全長よりも小さく前記壁体に形成された孔から前記壁体の裏面側に挿入しうる可撓性を備えるとともに、前記被取り付け体を前記壁体の表面に固定するために前記壁体を貫通させた固定手段によって前記壁体の裏面に固定されることを特徴としている。
【００１２】
請求項２に記載された下地材は、
壁体の表面に被取り付け体を安定的に固定するために、前記壁体の裏面に設けられる下地材であって、
その全長よりも小さく前記壁体に形成された孔から前記壁体の裏面側に挿入しうる可撓性を備えるとともに、前記壁体を貫通する仮固定手段によって前記壁体の裏面に仮固定され、前記壁体の表面に設けた前記被取り付け体を挿通して前記壁体を貫通する固定手段によって前記壁体の裏面に固定され、前記被取り付け体とともに前記壁体を挟持して前記被取り付け体の荷重を支えることを特徴としている。
【００１３】
請求項３に記載された下地材は、請求項１又は２に記載の下地材において、
長矩形状の平板である第１板と、前記第１板と実質的に同一形状であり、前記第１板の一面に貼付され、前記第１板と反対側の面に前記長矩形状の長手方向と交差する方向に沿った複数の溝が所定間隔で形成された第２板とを有し、前記第１板の他面が凸となるような可撓性を有する本体と、
前記本体に取り付けられ、前記壁体の前記孔から前記壁体の裏面側に挿入された前記本体を前記壁体の裏面の所定位置に保持するための長体と、
を有することを特徴としている。
【００１４】
請求項４に記載された固定装置は、
壁体の表面に被取り付け体を取り付けるための固定装置であって、
前記壁体の表面に所定の面積をもって接するように設けられて前記被取り付け体の荷重が加わる取り付け部と、
その全長よりも小さく前記壁体に形成された孔から前記壁体の裏面側に挿入しうる可撓性を備えるとともに、前記取り付け部の位置に対応して前記壁体の裏面に設けられる下地材と、
前記壁体を貫通して設けられ、前記取り付け部と前記下地材を前記壁体を挟持した状態で固定する固定手段とを有し、
前記壁体を補強して前記前記被取り付け体の荷重を支えることを特徴としている。
【００１５】
請求項５に記載された壁体の補強方法は、
壁体の表面に被取り付け体を取り付けるための取り付け部を、前記壁体の表面に安定的に固定するための壁体の補強方法において、
可撓性を備える本体と、前記本体を前記壁体の裏面側の所定位置に保持するための長体とを備えた下地材を用意し、
前記下地材よりも小さい孔を前記壁体に形成し、
前記長体を持ちながら前記下地材の前記本体を曲げて前記孔から前記壁体の裏面側に前記本体を挿入し、前記孔から前記壁体の外に出された前記長体を保持することにより前記本体を前記壁体の裏面の所定位置に保持し、
当て部材を介して貫通材を前記壁体及び前記下地材に打ち込み、
前記当て部材を掴んで引きながら、前記壁体に表面から仮固定部材をねじ込んで前記下地材を前記壁体の裏面に仮固定し、
前記長体と、前記当て部材と、前記貫通材を除去し、
前記孔を修復することにより、
前記下地材に対応する前記壁体の表面に被取り付け体を安定して取り付けられるようにすることを特徴としている。
【発明の効果】
【００１６】
請求項１に記載された下地材によれば、この下地材よりも小さい孔を壁体に形成し、下地材を曲げてこの孔から壁体の奥に入れ込み、この下地材が配置された壁体の裏面の所定位置に対応する壁体の表面の所定位置に被取り付け体を設け、この被取り付け体を挿通した固定手段を壁体を貫通させ、裏側の下地材に固定する。これによって、被取り付け体と下地材は壁体を挟んだ状態で固定されるので、被取り付け体の重量は下地材及びこれに補強された壁体によって安定的に支持される。
【００１７】
請求項２に記載された下地材によれば、この下地材よりも小さい孔を壁体に形成し、下地材を曲げてこの孔から壁体の奥に入れ込み、仮固定手段で壁体の裏面に下地材を仮固定することができる。その後、仮固定された下地材に対応する壁体の表面の所定位置に被取り付け体を設け、この被取り付け体を挿通した固定手段を壁体を貫通させ、裏側の下地材に固定する。この作業は、下地材が壁体の裏面に仮固定されているので、一人で支障なく行なうことができる。これによって、被取り付け体と下地材は壁体を挟んだ状態で固定されるので、被取り付け体の重量は下地材及びこれに補強された壁体によって安定的に支持される。
【００１８】
請求項３に記載された下地材によれば、請求項１又は２に記載の下地材による効果において、下地材は、第２板の溝の開口側が狭まり第１板の他面が凸になるように長矩形状の長手方向が湾曲する方向に曲がることができる。従って、壁体の孔から長矩形状の下地材を入れ込む際、例えば下地材の短手方向の寸法程度の小さな孔を壁体に形成すれば、下地材を曲げてこの孔から壁体の奥に入れ込むことができる。また、下地材の長体を孔から外に導出して手で保持しておけば、壁体の孔から壁体の裏面側に挿入した本体を壁体の裏面の所定位置に保持しておくことができるので、その後の仮固定乃至被取り付け体の固定を容易に行なうことができる。
【００１９】
請求項４に記載された固定装置によれば、下地材よりも小さい孔を壁体に形成し、下地材を曲げてこの孔から壁体の奥に入れ込み、この下地材が配置された壁体の裏面の所定位置に対応する壁体の表面の所定位置に取り付け部を設け、この取り付け部を挿通して固定手段を壁体を貫通させ、裏側の下地材に固定する。これによって、取り付け部と下地材は壁体を挟んだ状態で固定されるので、取り付け部に被取り付け体を取り付けた場合には、取り付け部及び被取り付け体の重量は、下地材及びこれに補強された壁体によって安定的に支持される。
【００２０】
請求項５に記載された壁体の補強方法によれば、下地材よりも小さい孔を壁体に形成し、長体を持ちながら下地材の本体を曲げれば孔から壁体の裏面側に挿入することができる。そして、孔から出た長体を保持して本体を壁体の裏面の所定位置に保持した状態で、当て部材を介して貫通材を壁体と下地材に打ち込み、この当て部材を掴んで手前に引けば、下地材を壁体の裏面に当接させることができる。この状態において、壁体の表面から仮固定部材をねじ込めば、下地材を壁体の裏面に仮固定することができる。そして、長体と、当て部材と、貫通材を除去して孔を修復すれば、下地材の取り付けが完了する。ここで、被取り付け体の取り付け部を下地材に対応した壁体の表側に固定手段で取り付ける。この作業は、下地材が壁体の裏面に仮固定されているので、一人で支障なく行なうことができる。これによって、取り付け部と下地材は壁体を挟んだ状態で固定されるので、取り付け部に被取り付け体を取り付けた場合には、取り付け部及び被取り付け体の重量は、下地材及びこれに補強された壁体によって安定的に支持される。
【図面の簡単な説明】
【００２１】
【図１】（ａ）は本発明の実施形態に係る下地材を表側から見た斜視図、（ｂ）は本発明の実施形態に係る下地材を裏側から見た斜視図であり、いずれも溝の構造が視認できる程度のスケールで表現した図である。また、（ｃ）は本発明の実施形態に係る下地材を曲げた状態を示す正面図（厚さ方向を正面とした図）であり、溝付近が変形した状態を表した部分拡大図をあわせ図示したものである。
【図２】本発明の実施形態に係る下地材を用いた壁体の補強方法において、壁内部に下地材を入れ込む工程を示す断面図である。
【図３】本発明の実施形態に係る下地材を用いた壁体の補強方法において、壁内部に入れ込んだ下地材を壁裏面に保持する工程を示す断面図である。
【図４】本発明の実施形態に係る下地材を用いた壁体の補強方法において、壁内部に入れ込んだ下地材に当て木をしてフィニッシャーネイルを打ち込む工程を示す断面図である。
【図５】本発明の実施形態に係る下地材を用いた壁体の補強方法において、壁内部に入れ込んだ下地材を仮固定する工程を示す断面図である。
【図６】本発明の実施形態に係る下地材を用いた壁体の補強方法において、壁内部に入れ込んだ下地材を仮固定する工程を示す断面図である。
【図７】本発明の実施形態に係る下地材を用いた壁体の補強方法において、壁内部に入れ込んだ下地材を仮固定する工程を示す断面図である。
【図８】本発明の実施形態に係る下地材を用いた壁体の補強方法において、壁内部に入れ込んだ下地材を仮固定した後、当て木とフィニッシャーネイルを除去する工程を示す断面図である。
【図９】本発明の実施形態に係る下地材を用いた壁体の補強方法において、壁内部に入れ込んだ下地材を仮固定した後、紐を除去する工程を示す断面図である。
【図１０】本発明の実施形態に係る下地材を用いた壁体の補強方法において、壁内部に入れ込んだ下地材を仮固定した後、壁体の孔を復旧する工程を示す断面図である。
【図１１】本発明の実施形態に係る下地材を用いた壁体の補強方法が完了した状態を示す正面図である。
【図１２】本発明の実施形態に係る壁体の補強方法が完了した後に、壁体にテレビ掛用金具を取り付けた状態を示す斜視図である。
【図１３】図１２で取り付けたテレビ掛用金具にテレビを取り付けた状態を示す斜視図である。
【図１４】本発明の実施形態に係る壁体の補強方法が完了した後に、壁体にエアコン掛用金具を取り付け、さらにエアコンを取り付けた状態を示す斜視図である。
【図１５】本発明の実施形態に係る壁体の補強方法が完了した後に、壁体に吊り戸棚を取り付けた状態を示す斜視図である。
【図１６】本発明の実施形態に係る壁体の補強方法が完了した後に、壁体に絵画を取り付けた状態を示す斜視図である。
【図１７】本発明の実施形態に係る壁体の補強方法が完了した後に、壁体に家具転倒防止金具を取り付け、これに家具を取り付けた状態を示す斜視図である。
【図１８】本発明の実施形態に係る壁体の補強方法が完了した後に、壁体に手摺りを取り付けた状態を示す斜視図である。
【図１９】本発明の実施形態に係る下地材を用いた壁体の補強方法において、壁内部に断熱材がある場合に壁内部に下地材を入れ込む工程の前半を示す断面図である。
【図２０】本発明の実施形態に係る下地材を用いた壁体の補強方法において、壁内部に断熱材がある場合に壁内部に下地材を入れ込む工程の後半を示す断面図である。
【図２１】本発明の実施形態に係る補強方法で補強した壁体に取り付け部を取り付け、壁体に平行な圧縮荷重を該取り付け部に試験機で与える試験を行なった場合の試験結果を示す図であって、該試験機における試験力とストロークの関係を示すグラフを表す図である。
【発明を実施するための形態】
【００２２】
本実施形態は、壁体に物品を安全に取り付けるため、該壁体を補強するべく壁体の裏面側に固定される下地材等と、該下地材等を用いて壁体を補強し、壁掛けテレビを壁体に安全に取り付ける工法に関するものである。
【００２３】
１．下地材の構造
図１（ａ）、（ｂ）に示すように、本実施形態の下地材１０は、全体として長矩形状の平板であり、可撓性を有する第１板１を基材としている。この第１板１と実質的に同一形状である第２板２が、第１板１の一面に貼付されている。第２板２の第１板１と反対側の面には、前記長矩形状の長手方向と直交する方向に沿い、下地材１０に可撓性を与えるための構造として、複数の溝３が所定間隔で形成されている。各溝３は、第２板２を厚さ方向に貫通しておらず、従って第２板２を前記長矩形状の長手方向に沿った断面で見ると矩形波の鋸歯状になっている。この第２板２の溝３が形成されている側の面には、溝３を覆うようにスポンジ層４が貼着されている。この板材の一端部に近いスポンジ層４の一部は除去されており、その部分では第２板２の溝３が露出している。このスポンジ層４は、後述するように固定手段をねじ込む際に、固定手段の先端部に絡んで固定手段を第２板２にねじ込みやすく案内するための導入手段として機能する。
【００２４】
以上の構成によれば、下地材１０は、図１（ｃ）に示すように、第１板１が凸状に変形するとともにスポンジ層４が凹状となるように外力を加えると、第２板２は溝３の開口が狭まる方向に変形するので、全体として外力に耐えつつ前記長矩形状の長手方向に沿って曲がることができる。逆に、第１板１が凹状に変形するとともにスポンジ層４が凸状となるように外力を加えると、第２板２は図１（ｃ）の拡大図とは逆に溝３の開口が開く方向に変形するので、全体として外力に耐えにくくなり、前記長矩形状の長手方向に沿って破損なく大きく曲がることは困難となる。なお、本例では下地材１０の第１板１及び第２板２は木材であるが、適当な可撓性構造乃至材質を有するものであり、長矩形等の細長い形状であれば、材質及び構造を特に限定する必要はない。
【００２５】
図１（ｂ）、（ｃ）に示すように、このスポンジ層４が一部除去されて露出した第２層には、長体である紐５の一端が取り付けられており、後に説明する工程において、壁体内に入れ込んだ下地材１０を壁体の裏面の所定位置に保持するために、壁体の孔から外側に突出した紐５の他端側を作業者が保持できるようになっている。
【００２６】
２．壁体の補強方法
次に、図２〜図１３を参照して、本例に係る下地材１０を用いて壁掛けテレビを壁体に設置する工程について具体的に説明する。図２等に示すように、本例における壁体６は、例えば隣室の壁体７との間に、図示しない間柱及び空間を挟んで設置されたものであり、例えば石膏ボード等からなる。なお、図２以降の図では、下地材１０の第２板２に形成された溝３については構造の詳細は示さず、概略的な表現に留めるものとする。
【００２７】
図２に示すように孔８を壁体６に形成する。この孔８を形成する位置は、テレビの取り付け体となる取り付け金具乃至テレビ自体を取り付けたいとユーザーが望んでおり、下地材１０となりうる間柱がないために通常の手法では取り付けができない位置であり、後述する工程からわかるように、下地材１０が設けられる範囲内では相対的に上方の位置となる。
【００２８】
図２及び図１１に示すように、この孔８は、下地材１０を曲げて壁体６の裏面側に挿入しうる形状・寸法とされている。具体的には、この孔８は矩形であり、その横寸法は、下地材１０の短手方向の長さ（幅）を受け入れられるものであり、その縦寸法は、下地材１０の長手方向の長さよりもはるかに小さくなっている。さらに具体的には、図１１に例示するように、下地材１０は縦横比が概ね５：１の矩形であり、孔８の横寸法は下地材１０の幅と同等であり、孔８の縦寸法は下地材１０の幅の半分程度である。このような孔８の縦寸法は、前述した下地材１０が長手方向に安全に曲がる程度を考慮し、下地材１０を曲げて孔８から壁体６の奥に入れ込める条件でなるべく小さくなるように設定したものである。
【００２９】
図２に示すように、紐５を持ちながら、紐５が取り付けられている側の端部を上にして、スポンジ層４を下にした姿勢で下地材１０を手前に曲げながら孔８から通し、壁体６の奥に送り込んでいく。下地材１０の全長に比べて壁体６の孔８は小さいが、下地材１０は十分に変形して支障なく壁体６の奥に送り込むことができる。
【００３０】
図３に示すように、下地材１０の全体を壁体６の孔８から壁体６の裏面側に挿入する。この時点で下地材１０を湾曲させるために加えられている外力はなくなり、下地材１０は湾曲変形が回復して元の平板状に復帰する。さらに、下地材１０の上端部に固定されている紐５は壁体６の孔８から外に出ているので、作業者が外から紐５を引っ張れば、下地材１０は壁体６の裏面の所定位置（取り付けようとする位置）にスポンジ層４で接した状態で保持される。
【００３１】
図４に示すように、紐５を引っ張って下地材１０を壁体６の裏面に保持した状態を維持し、壁体６の表面側に当て部材１１を当て、貫通材としてのフィニッシャーネイル１２を、当て部材１１を介して打ち込み機１３で壁体６に打ち込む。
【００３２】
図５に示すように、当て部材１１を掴んで引くことにより下地材１０を手前方向に引きながら、壁体６の表面から仮固定部材としての仮止めねじ１４をドライバ１５でねじ込み、下地材１０を壁体６の裏面に仮固定する。仮止め時、下地材１０は仮止めねじ１４のねじ込み方向とは逆方向の手前に引かれているので、仮止めねじ１４のねじ込みによって奥に逃げることがなく、仮止めねじ１４は確実に下地材１０にねじ込まれる。また、仮止めねじ１４は、壁体６を貫通した後、下地材１０のスポンジ層４に当たり、柔らかいスポンジ層４に絡んで下地材１０を捉えるので、当て部材１１及びフィニッシャーネイル１２を引いて下地材１０を引き寄せる作用と相俟って、下層にある第２板２及び第１板１にねじ込みやすくなる。
【００３３】
図４乃至図５を参照して説明したフィニッシャーネイル１２の打ち込みから仮止めねじ１４による仮固定までの工程を、打ち込み位置を違えて複数回行なう。具体的には、図４乃至図５で説明した下地材１０の上端部である上段の位置を始めとして、図６に示すような下地材１０の中段の位置、そして図７に示すような下地材１０の下段の位置まで、合計３箇所で適当な間隔をおいて長手方向の略全長にわたって仮止めを行なう。なお、仮固定の箇所数は下地材の長さに応じて適宜定めればよい。
【００３４】
図８に示すように、ペンチ１６で当て部材１１とフィニッシャーネイル１２を抜き取り、図９に示すように、孔８から飛び出ている紐５をカッター１７で切り取る。
【００３５】
図１０に示すように、壁体６の孔８を修復材料乃至充填材としての速乾パテ２０で埋める。図１１に示すように、速乾パテ２０で埋められた壁体６の孔８（図中斜線を付した部分）は、周囲の壁体６と同一高さになって、修復される。なお、本例では、壁体６の横方向に離れた同一高さの２箇所に下地材１０を設置した。
【００３６】
図１２に示すように、下地材１０で補強された壁体６の当該位置に、壁掛けテレビ用の取り付け部である取り付け金具２５を固定手段としての固定ボルト２６で取り付ける。取り付け金具２５は、壁体６に対する取り付け部分において、壁体６の表面に所定の面積をもって接するように設けられる。固定ボルト２６は、取り付け金具２５の取り付け部分のボルト孔を挿通して壁体６にねじ込まれ、その裏面側に仮固定された下地材１０にさらにねじ込まれる。壁体６は、裏面に接して取り付けられた下地材１０と、表面に所定の面積をもって接している取り付け金具２５の取り付け部分とに挟まれ、これら３者は固定ボルト２６によって強固に固定されて一体化されるので、壁体６は補強されて取り付け金具２５は壁体６に安定して取り付けられる。
【００３７】
図１３に示すように、壁体６に強固に固定された取り付け金具２５に壁掛けテレビ２７を取り付ける。壁掛けテレビ２７の重量は取り付け金具２５と固定ボルト２６を介して下地材１０によって安定して安全に支えられる。
【００３８】
以上説明した実施形態では、下地材１０で補強した壁体６に取り付け金具２５を取り付け、これに壁掛けテレビ２７を取り付けることとしていたが、取り付け部である取り付け金具２５と、被取り付け体である壁掛けテレビ２７を分けず、壁掛けテレビ２７に一体に設けられている取り付け部を壁体６の下地材１０に直接ボルトで固定するものと考えたとしても同様の効果が得られる。
【００３９】
また、本実施形態での説明のように、本例の下地材１０で壁体６を補強し、補強された壁体６に前記取り付け金具２５を取り付け、この取り付け金具２５に壁掛けテレビ２７を取り付けると考えても良いし、また、壁体６を挟んで固定された前記取り付け金具２５と前記下地材１０とによって壁掛けテレビ２７の固定装置が構成され、この固定装置によって壁掛けテレビ２７を壁体６に取り付けるものと考えても良い。
【００４０】
また、本実施形態での説明では、下地材１０は屈曲可能なように一部に溝３を有する２層構造の板材で構成したが、必要な屈曲が得られるのであれば、特に多数の溝３で可撓性を得る構造が必須というわけではなく、また固定ボルト２６のねじ込み対象として十分な強度が得られる素材であれば、特に素材を木に限る必要もない。要するに、その全長よりも小さくなるように壁体６に形成された孔８から壁体６の裏面側に挿入しうるだけの可撓性があり、壁体６を貫通させた固定ボルト２６がねじ込まれて荷重を支えることができればよい。また、スポンジ層４は、仮止めねじ１４との絡みを生じて下地材１０を仮固定する工程では有効であるが、必ずしも必須ではない。
【００４１】
３．被取り付け体のその他の例について
本実施形態によれば、壁体６に設置する物品であれば、壁掛けテレビ２７だけでなく、どのような種類の物品であっても安全確実に取り付けることができるが、例えば、前述した壁掛けテレビ２７以外では、図１４に示すような取り付け金具３０で取り付けるエアコン３１等の家電製品や、図１５に示す吊戸棚３２等のようにそれ自体に相当の重量がある物品や、エアコン３１ほどの重量はないが、図１６に示すような落下による破損が特に許されない貴重な絵画３３の取り付けに本発明は有効である。
【００４２】
また、地震対策として取り付け部ｆらるＬ字形の金具３４で壁体６に固定する図１７に示すような家具３５等や、壁体６に固定される図１８に示す階段３７の手摺り３６のように、地震発生時や使用時に特に大きな荷重が加わるような物品等についても、本発明は有効である。
【００４３】
４．壁体の補強方法における変形例について
前述した壁体６の補強方法においては、図２及び図３に示したように、壁体６と壁体７の間は間柱のある空間であったが、この空間には図１９及び図２０に示すように断熱材３８が充填されている場合がある。
【００４４】
そのような場合には、壁体６に形成した孔８から下地材１０を曲げて入れ込もうとしても、断熱材３８が邪魔になってうまく挿入できない場合がある。そこで、このように断熱材３８が壁間にある場合に、下地材１０を壁体６の裏側に入れ込む工程を、前述した実施形態の図２で示した工程の変形例として、図１９及び図２０を参照して説明する。
【００４５】
図１９に示すように、壁体６に形成した孔８から下地材１０を入れる前に、壁体６の裏面への案内・導入部材として、滑りのよい材質からなる弾性板状の押さえ部材４０を先に孔８内に挿入する。次に、下地材１０を孔８内に差し込み、押さえ部材４０を案内として下地材１０を壁体６の裏側に挿入していく。
【００４６】
図２０に示すように、下地材１０の大半が壁体６の裏面側に入ったら、下地材１０の紐５を手前に引っ張りながら押さえ部材４０を手前上方に引き抜き、最後に下地材１０の上端部を孔８の内部に入れる。後の工程は、前記実施形態における図３以降と同様である。
【００４７】
５．本例における取り付け金具２５の固定強度について
本例による下地材１０を用いて補強した壁体６に、壁掛けテレビ２７の取り付け金具２５を固定し、その取り付け強度を実際に測定した。９ｍｍの石膏ボードを供試体とし、次に示す（１）〜（３）の３種類の下地材１０及び取り付け金具２５を石膏ボードに取り付け、試験対象とした。
（１）は、６０ｃｍ×１４ｃｍ、厚さ１３ｍｍである板材がラワン材製の下地材１０を２個と、厚さ２ｍｍ、重量１５ｋｇの金属製の１枚の取り付け金具２５を、前述したような取り付け工程でＭ５．５のボルトを１個の下地材１０につき９本、合計１８本使用して石膏ボードに取り付けて補強する。
（２）は、６０ｃｍ×１４ｃｍ、厚さ１３ｍｍである板材がラワン材製の下地材１０を２個と、厚さ１．６ｍｍ、重量６ｋｇの金属製の１枚の取り付け金具２５を、前述したような取り付け工程でＭ５．５のボルトを１個の下地材１０につき９本、合計１８本使用して石膏ボードに取り付けて補強する。
（３）は、４５ｃｍ×７ｃｍ、厚さ１３ｍｍである板材がラワン材製の下地材１０を２個と、厚さ１．２ｍｍ、重量４ｋｇの金属製の１枚の取り付け金具２５を、前述したような取り付け工程でＭ４．８のボルトを１個の下地材１０につき９本、合計１８本使用して石膏ボードに取り付けて補強する。
このように下地材１０及び取り付け金具２５が取り付けられた石膏ボードを、圧縮試験機の所定の試験位置に固定する。そして、圧縮試験機により、石膏ボードの表面に平行で鉛直下向きの力を取り付け金具２５に対して加える。
【００４８】
図２１は、上記試験の結果を示すグラフであり、圧縮試験機が示す駆動部のストローク（ｍｍ）と、その時の試験力（ｋｇｆ）との関係を示すものである。（１）から（３）の試験対象に対してそれぞれ試験を行い、図示のような結果を得た。試験対象（１）では試験力の最大点が５３６．９４４ｋｇｆ、変位の最大点が４．８２７００ｍｍであり、試験対象（２）では試験力の最大点が５５２．８７７ｋｇｆ、変位の最大点が８．７３１００ｍｍであり、試験対象（３）では試験力の最大点が２９１．５７５ｋｇｆ、変位の最大点が５．０４７００ｍｍであった。いずれの試験においても、試験後の供試体には損傷、変形等はみられなかった。壁掛けテレビやエアコン、吊り戸棚等は、一般的には最大でも１００ｋｇ以下の重量であり、今回の試験荷重よりもはるかに小さい。例えば、業務用として会議室等のモニター等に使用されることが多い７２型の大型の壁掛けテレビは約９３ｋｇ程度である。この試験結果は、本実施形態の下地材１０で補強された壁体６に対し、取り付け金具２５が十分な強度で固定されていること又は壁体が十分な強度に補強されていることを実証している。
【符号の説明】
【００４９】
１…第１板
２…第２板
３…溝
４…スポンジ層
５…紐
６…壁体
８…孔
１０…下地材
１２…貫通材としてのフィニッシャーネイル
１４…仮固定部材としての仮止めねじ
２５、３０…取り付け部としての取り付け金具
２６…固定手段としての固定ボルト
２７…被取り付け体としての壁掛けテレビ
３１…被取り付け体としてのエアコン
３２…被取り付け体としての吊戸棚
３３…被取り付け体としての絵画
３４…取り付け部としての金具
３５…被取り付け体としての家具
３６…被取り付け体としての手摺り
【図１】
2010185254.tif 000003
【図２】
2010185254.tif 000004
【図３】
2010185254.tif 000005
【図４】
2010185254.tif 000006
【図５】
2010185254.tif 000007
【図６】
2010185254.tif 000008
【図７】
2010185254.tif 000009
【図８】
2010185254.tif 000010
【図９】
2010185254.tif 000011
【図１０】
2010185254.tif 000012
【図１１】
2010185254.tif 000013
【図１２】
2010185254.tif 000014
【図１３】
2010185254.tif 000015
【図１４】
2010185254.tif 000016
【図１５】
2010185254.tif 000017
【図１６】
2010185254.tif 000018
【図１７】
2010185254.tif 000019
【図１８】
2010185254.tif 000020
【図１９】
2010185254.tif 000021
【図２０】
2010185254.tif 000022
【図２１】
2010185254.tif 000023
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
壁体の表面に被取り付け体を安定的に固定するために、前記壁体の裏面に設けられる下地材であって、
その全長よりも小さく前記壁体に形成された孔から前記壁体の裏面側に挿入しうる可撓性を備えるとともに、前記壁体を貫通する仮固定手段によって前記壁体の裏面に仮固定され、前記壁体の表面に設けた前記被取り付け体を挿通して前記壁体を貫通する固定手段によって前記壁体の裏面に固定され、前記被取り付け体とともに前記壁体を挟持して前記被取り付け体の荷重を支える下地材において、
長矩形状の平板である第１板と、前記第１板と実質的に同一形状であり、前記第１板の一面に貼付され、前記第１板と反対側の面に前記長矩形状の長手方向と交差する方向に沿った複数の溝が所定間隔で形成された第２板とを有し、前記第１板の他面が凸となるような可撓性を有する本体と、
前記本体の前記第２板の前記溝が形成されている側に前記溝を覆うように設けられ、前記下地材を前記壁体に固定するために前記壁体を貫通させた前記仮固定手段の先端部が絡んで前記仮固定手段を前記第２板に導入する導入手段と、
前記本体に取り付けられ、前記壁体の前記孔から前記壁体の裏面側に挿入された前記本体を前記壁体の裏面の所定位置に保持するための長体と、
を有することを特徴とする下地材。
【請求項２】
前記導入手段がスポンジ層である請求項１記載の下地材。
【請求項３】
その上端部に前記長体が固定されており、その下端部を下にした状態で前記壁体の裏面に設けられ、その上段の位置から下段の位置まで長手方向に沿って前記仮固定手段により壁体の裏面に仮固定されることを特徴とする請求項１記載の下地材。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項１に記載された下地材は、
壁体の表面に被取り付け体を安定的に固定するために、前記壁体の裏面に設けられる下地材であって、
その全長よりも小さく前記壁体に形成された孔から前記壁体の裏面側に挿入しうる可撓性を備えるとともに、前記壁体を貫通する仮固定手段によって前記壁体の裏面に仮固定され、前記壁体の表面に設けた前記被取り付け体を挿通して前記壁体を貫通する固定手段によって前記壁体の裏面に固定され、前記被取り付け体とともに前記壁体を挟持して前記被取り付け体の荷重を支える下地材において、
長矩形状の平板である第１板と、前記第１板と実質的に同一形状であり、前記第１板の一面に貼付され、前記第１板と反対側の面に前記長矩形状の長手方向と交差する方向に沿った複数の溝が所定間隔で形成された第２板とを有し、前記第１板の他面が凸となるような可撓性を有する本体と、
前記本体の前記第２板の前記溝が形成されている側に前記溝を覆うように設けられ、前記下地材を前記壁体に固定するために前記壁体を貫通させた前記仮固定手段の先端部が絡んで前記仮固定手段を前記第２板に導入する導入手段と、
前記本体に取り付けられ、前記壁体の前記孔から前記壁体の裏面側に挿入された前記本体を前記壁体の裏面の所定位置に保持するための長体と、
を有することを特徴としている。
【手続補正５】
【補正対象書類名】明細書
【補正対象項目名】００１３
【補正方法】変更
【補正の内容】
【００１３】
請求項２に記載された下地材は、請求項１に記載の下地材において、
前記導入手段がスポンジ層であることを特徴としている。
【手続補正６】
【補正対象書類名】明細書
【補正対象項目名】００１４
【補正方法】変更
【補正の内容】
【００１４】
請求項３に記載された固定装置は、
その上端部に前記長体が固定されており、その下端部を下にした状態で前記壁体の裏面に設けられ、その上段の位置から下段の位置まで長手方向に沿って前記仮固定手段により壁体の裏面に仮固定されることを特徴としている。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明に係る下地材によれば、この下地材よりも小さい孔を壁体に形成し、下地材を曲げてこの孔から壁体の奥に入れ込み、仮固定手段で壁体の裏面に下地材を仮固定することができる。その後、仮固定された下地材に対応する壁体の表面の所定位置に被取り付け体を設け、この被取り付け体を挿通した固定手段を壁体を貫通させ、裏側の下地材に固定する。この作業は、下地材が壁体の裏面に仮固定されているので、一人で支障なく行なうことができる。これによって、被取り付け体と下地材は壁体を挟んだ状態で固定されるので、被取り付け体の重量は下地材及びこれに補強された壁体によって安定的に支持される。
【手続補正１０】
【補正対象書類名】明細書
【補正対象項目名】００１８
【補正方法】変更
【補正の内容】
【００１８】
また本発明に係る下地材によれば、下地材は、第２板の溝の開口側が狭まり第１板の他面が凸になるように長矩形状の長手方向が湾曲する方向に曲がることができる。従って、壁体の孔から長矩形状の下地材を入れ込む際、例えば下地材の短手方向の寸法程度の小さな孔を壁体に形成すれば、下地材を曲げてこの孔から壁体の奥に入れ込むことができる。また、下地材の長体を孔から外に導出して手で保持しておけば、壁体の孔から壁体の裏面側に挿入した本体を壁体の裏面の所定位置に保持しておくことができるので、その後の仮固定乃至被取り付け体の固定を容易に行なうことができる。
さらに本発明に係る下地材によれば、仮固定手段は、壁体を貫通した後、下地材の導入手段に当って絡み、下地材を捉えるので、下層にある第２板及び第１板に仮固定しやすくなる。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】